(57)【要約】【課題】便器の取り替えを行う際に、便器を取り外した後の排水管工事をやり直す必要がなく、床上作業のみで取り替え工事を行うことができ、気密性にも優れた管路接続構造を提供する。【解決手段】  床面２まで起立状に配管された排水管３と接続される下接続部４ｂと、便器排水口１と連通する上接続部４ａとを有する下部排水ソケット４と、便器排水口１と連通する上円筒部６ａと、排水管３と連通される下円筒部６ｂと、下円筒部６ｂの外側に下円筒部６ｂと同軸に形成された互いに内径の異なる複数の円筒壁６ｃ，６ｄとを有する上部排水ソケット６と、円筒壁６ｃと周接される円筒接続部５ａと、下部排水ソケット４とシール７を介して気密状に接続される下接続部５ｂとを有するアダプタ５とで構成され、下部排水ソケット４の上接続部４ａと、上部排水ソケット６の円筒壁６ｄとを互いに嵌合接続させた管路接続構造である。【選択図】  図１
2006299610.tif 000002
【特許請求の範囲】
【請求項１】
便器排水口と床面まで起立状に配管された排水管とを接続する管路接続構造であって、
前記便器排水口と連通する上円筒部と、前記排水管と連通される下円筒部と、前記下円筒部の外側に前記下円筒部と同軸に形成された互いに内径の異なる複数の円筒壁とを有する上部排水ソケットと、
前記円筒壁のいずれかと周接される円筒接続部と、前記排水管と気密状に接続される下接続部とを有するアダプタとで構成され、
前記上部排水ソケットの円筒壁のいずれかと、前記アダプタの円筒接続部とを互いに嵌合接続させたことを特徴とする管路接続構造。
【請求項２】
便器排水口と床面まで起立状に配管された排水管とを接続する管路接続構造であって、
前記排水管と接続される下接続部と、前記便器排水口と連通する上接続部とを有する下部排水ソケットと、
前記便器排水口と連通する上円筒部と、前記排水管と連通される下円筒部と、前記下円筒部の外側に前記下円筒部と同軸に形成された互いに内径の異なる複数の円筒壁とを有する上部排水ソケットと、
前記円筒壁のいずれかと周接される円筒接続部と、前記下部排水ソケットとシール材を介して気密状に接続される下接続部とを有するアダプタとで構成され、
前記下部排水ソケットの上接続部と、前記上部排水ソケットの円筒壁のいずれかとを互いに嵌合接続させたことを特徴とする管路接続構造。
【請求項３】
前記アダプタの接続円筒部と、前記上部排水ソケットの円筒壁のいずれかとを互いに嵌合接続したことを特徴とする請求項２に記載の管路接続構造。
【請求項４】
前記アダプタの接続円筒部の外周に前記下部排水ソケットの上接続部の内周面と当接するフランジを設けたことを特徴とする請求項２または３に記載の管路接続構造。
【請求項５】
前記アダプタの下接続部に、前記排水管内に垂下する円筒部を設けたことを特徴とする請求項１〜４のいずれかに記載の管路接続構造。
【発明の詳細な説明】
【技術分野】
【０００１】
本発明は、便器の排水口と排水管との接続構造に関する。
【背景技術】
【０００２】
陶器製の大便器の排水口と、床下に立設されている合成樹脂製の排水管とを接続する場合、従来、図５〜図７に示すような管路接続構造が採用されている。図５に示す管路接続構造においては、大便器の排水口５５は、弾性パッキン５４を介して排水ソケット５３に挿入されている。また、排水ソケット５３と排水管５１との接着は、床面５２より下方で行われている。このような管路接続構造は、排水ソケット５３の小型化を図るとともに、排水管５１の立ち上げ高さの抑制を図る上で最良の構造である。
【０００３】
しかしながら、図５に示す管路接続構造においては、排水ソケット５３を別のものに交換する場合、排水ソケット５３と排水管５１との接着部５６は床面５２の下方に設けられているため、床面５２上で既存の排水ソケット５３を切断しても、完全に既存の排水ソケット５３を撤去することができない。このため、排水ソケット５３を交換する場合には、床面５２の下方から排水管５１を立ち上げ直して、排水管５１を更新することとなり、多大な労力と時間が必要である。
【０００４】
また、近年における大便器の洗浄水に関する節水要請の高まりに伴い、排水ソケット５３を大型化し、排水経路を寸法精度の良い合成樹脂管で形成した管路接続構造を採用して、汚物の排出能力を担保するという対応がとられることも多い。このような管路接続構造として、例えば、図６に示すようなものがある。図６に示すように、この管路接続構造においては、床面６２の下方に埋設されている排水管６１を床面６２の高さでカットすることなく、所定の接着代の高さまで延長して立ち上げることにより、床面６２上の接着部６７にて、排水管６１と排水ソケット６３との接着を可能としている。
【０００５】
従って、排水ソケット６３の取り替えを行う場合、図７に示すように、床面６２上の所定の位置で排水ソケット６３および排水管６１をカットした後、アダプタ７０を介して、再度、床面６２上に排水管６１を立ち上げ、新たな排水ソケット７３を接着部７７でアダプタ７０に接着することができるため、既存排水ソケット６３の完全撤去が可能となる。
【０００６】
一方、本願発明に関連する従来技術として、便器排水口を、内径の異なる複数種類の排水管に適合して接続することのできる便器用接続ソケットがある（例えば、特許文献１，２参照。）。
【０００７】
【特許文献１】実開平７−２５０８０号公報
【特許文献２】実開平７−２５０８１号公報
【発明の開示】
【発明が解決しようとする課題】
【０００８】
図６に示す床上接着方式の管路接続構造の場合、排水ソケット６３の交換は、既存の排水ソケット６３を床面６２上でカットすることによって実施可能である。しかしながら、図５に示す床下接着方式の管路接続構造から図６に示す床上接着方式の管路接続構造へ変更する際には、図７に示すように、アダプタ７０を介して床面６２の下方から排水管６１を立ち上げ直して、排水管６１を更新する必要がある。このため、便器交換工事を行う際には、多大な労力と時間とが費やされている。
【０００９】
一方、特許文献１，２に記載された便器用接続ソケットは、内径の異なる複数種類の排水管に対して接続することができるので、管路接続工事を行う場合、寸法の異なる接続ソケットを用意する必要がなくなるが、一つの便器用接続ソケットにより、床下接着方式の管路接続構造から床上接着方式の管路接続構造への変更には対応することができない。
【００１０】
本発明が解決しようとする課題は、便器の取り替えを行う際に、便器を取り外した後の排水管工事をやり直す必要がなく、床上作業のみで取り替え工事を行うことができ、軸心のズレが生じにくく、気密性にも優れた管路接続構造を提供することにある。
【課題を解決するための手段】
【００１１】
本発明の管路接続構造は、便器排水口と床面まで起立状に配管された排水管とを接続する管路接続構造であって、
前記便器排水口と連通する上円筒部と、前記排水管と連通される下円筒部と、前記下円筒部の外側に前記下円筒部と同軸に形成された互いに内径の異なる複数の円筒壁とを有する上部排水ソケットと、
前記円筒壁のいずれかと周接される円筒接続部と、前記排水管と気密状に接続される下接続部とを有するアダプタとで構成され、
前記上部排水ソケットの円筒壁のいずれかと、前記アダプタの円筒接続部とを互いに嵌合接続させたことを特徴とする。ここで、周接とは、同軸上に位置する内径の異なる複数の円筒状の部材の少なくとも一部が周方向に沿って互いに接触状態にあることをいう。
【００１２】
このような構成とすれば、床面まで起立状に配管された排水管にアダプタの下接続部を気密状に接続し、アダプタの円筒接続部と上部排水ソケットの円筒壁のいずれかとを互いに嵌合接続するとともに、上部排水ソケットの下円筒部を排水管に連通させ、上部排水ソケットの上円筒部に便器排水口を連通するだけで管路接続構造を形成することができる。従って、便器の取り替えを行う際に、便器を取り外した後の排水管工事をやり直す必要がなく、床上作業のみで取り替え工事を行うことができる。また、排水管とアダプタの下接続部との接続部分、アダプタの円筒接続部と上部排水ソケットの円筒壁との接続部分は隙間無く接触しているため、軸心のズレが生じにくく、気密性にも優れたものとなる。
【００１３】
また、本発明の管路接続構造は、便器排水口と床面まで起立状に配管された排水管とを接続する管路接続構造であって、
前記排水管と接続される下接続部と、前記便器排水口と連通する上接続部とを有する下部排水ソケットと、
前記便器排水口と連通する上円筒部と、前記排水管と連通される下円筒部と、前記下円筒部の外側に前記下円筒部と同軸に形成された互いに内径の異なる複数の円筒壁とを有する上部排水ソケットと、
前記円筒壁のいずれかと周接される円筒接続部と、前記下部排水ソケットとシール材を介して気密状に接続される下接続部とを有するアダプタとで構成され、
前記下部排水ソケットの上接続部と、前記上部排水ソケットの円筒壁のいずれかとを互いに嵌合接続させたことを特徴とする。
【００１４】
このような構成とすれば、床面まで起立状に配管された排水管に下部排水ソケットの下接続部を接続し、下部排水ソケットの上接続部にシール材を介してアダプタの下接続部を気密状に接続し、アダプタの円筒接続部と上部排水ソケットの円筒壁のいずれかとを互いに嵌合接続するとともに、上部排水ソケットの下円筒部を排水管に連通させ、上部排水ソケットの上円筒部に便器排水口を連通するだけで管路接続構造を形成することができる。従って、便器の取り替えを行う際に、便器を取り外した後の排水管工事をやり直す必要がなく、床上作業のみで取り替え工事を行うことができる。また、排水管と下部排水ソケットの下接続部との接続部分、下部排水ソケットの上接続部とアダプタの下接続部との接続部分、アダプタの円筒接続部と上部排水ソケットの円筒壁との接続部分は隙間無く接触されるため、軸心のズレが生じにくく、気密性にも優れたものとなる。
【００１５】
ここで、前記アダプタの接続円筒部と、前記上部排水ソケットの円筒壁のいずれかとを互いに嵌合接続することが望ましい。このような構成とすれば、アダプタと上部排水ソケットとの接続部分の気密性が高まるので、管路接続部分全体の気密性が向上する。
【００１６】
また、前記アダプタの接続円筒部の外周に前記下部排水ソケットの上接続部の内周面と当接するフランジを設けることもできる。このような構成とすれば、下部排水ソケットの上接続部にアダプタの接続円筒部を接続する際、下部排水ソケットの上接続部の内周面にアダプタのフランジを当接させることによって互いの軸心合わせを行うことが可能となるため、軸心のズレをなくすことができ、作業性も向上する。
【００１７】
一方、前記アダプタの下接続部に、前記排水管内に垂下する円筒部を設けることもできる。このような構成とすれば、アダプタの下接続部から垂下された円筒部を排水管内に挿入することにより両者間の位置合わせが可能となるため、接続時の作業性が向上する。また、アダプタの下接続部から垂下した円筒部が常に排水管内に同軸に位置した状態となるため、気密性に優れている。
【発明の効果】
【００１８】
本発明により、便器の取り替えを行う際に、便器を取り外した後の排水管工事をやり直す必要がなく、床上作業のみで取り替え工事を行うことができ、気密性にも優れた管路接続構造を提供することができる。
【発明を実施するための最良の形態】
【００１９】
以下、図面に基づいて、本発明の実施の形態について説明する。図１は本発明の実施の形態である管路接続構造を形成する前の構成部材を示す断面図、図２（ａ）は図１に示す構成部材を用いて管路接続構造を組み立て中の状態を示す垂直断面図、図２（ｂ）は管路接続構造の組み立て後の状態を示す垂直断面図である。
【００２０】
図１に示すように、本実施形態の管路接続構造は、便器排水口１と床面２まで起立状に配管された排水管３とを接続するものであり、排水管３と接続される下部排水ソケット４と、下部排水ソケット４の上にシール７を介して配置されるアダプタ５と、下部排水ソケット４およびアダプタ５を覆うように配置される上部排水ソケット６とによって構成されている。
【００２１】
上部排水ソケット６は、便器排水口１と連通する上円筒部６ａと、排水管３と連通される下円筒部６ｂと、下円筒部６ｂの外側に当該下円筒部６ｂと同軸に形成された互いに内径の異なる複数の円筒壁６ｃ，６ｄとを有し、円筒壁６ｃ，６ｄの周囲にはスカート部６ｅを有している。また、アダプタ５は、円筒壁６ｃと周接される円筒接続部５ａと、排水管３とシール７を介して気密状に接続される下接続部５ｂとを有する。下部排水ソケット４は、排水管３と接続される下接続部４ｂと、便器排水口１と連通する上接続部４ａとを有する。
【００２２】
上部排水ソケット６の上円筒部６ａと便器排水口１との間には弾性パッキン８が介在されている。上部排水ソケット６においては、下円筒部６ｂが最も軸心Ｘ寄りにあり、その周りに間隔をおいて円筒壁６ｃ，６ｄが形成され、最外周にスカート部６ｅが形成されている。スカート部６ｅの下端開口部は最下部に位置し、その上方に下円筒部６ｂの下端開口部が位置し、その上方に円筒壁６ｄの下端開口部が位置し、その上方に円筒壁６ｃの下端開口部が位置している。
【００２３】
アダプタ５において、円筒接続部５ａの外周にはフランジ５ｃが形成され、このフランジ５ｃより下方に下接続部５ｂが設けられている。下接続部５ｂは下方に向かって徐々に縮径した形状である。下部排水ソケット４において、上接続部４ａの内径は排水管３の内径よりも大であり、下接続部４ｂの外径は排水管３の内径より小である。上接続部４ａと下接続部４ｂとの境界には内周面に沿って段差部４ｃが形成され、段差部４ｃ上にシール７が配置される。この段差部４ｃの外周にはフランジ４ｄが形成され、このフランジ４ｄを床面２上に載置することによって下部排水ソケット４が保持される。
【００２４】
図１に示すように、床面２まで起立状に配管された排水管３に下部排水ソケット４の下接続部４ｂを挿入して接続し、下部排水ソケット４の上接続部４ａ内の段差部４ｃ上にシール７を配置する。そして、図２（ａ）に示すように、シール７上にアダプタ５の下接続部５ｂを配置し、アダプタ５の円筒接続部５ａと上部排水ソケット６の円筒壁６ｃとを互いに嵌合接続するとともに、上部排水ソケット６の下円筒部６ｂを下部排水ソケット４の下接続部４ｂに臨ませて排水管３に連通させる。そして、図２（ｂ）に示すように、上部排水ソケット６およびアダプタ５を下方に押圧すると、アダプタ５の下接続部５ｂと下部排水ソケット４との間にあるシール７が塑性変形し、アダプタ５と下部排水ソケット４とが気密状に接続される。そして、上部排水ソケット６の上円筒部６ａに便器排水口１を連通すれば管路接続構造が完成する形成することができる。
【００２５】
従って、便器（図示せず）の取り替えを行う際に、便器を取り外した後の排水管工事をやり直す必要がなく、床上作業のみで取り替え工事を行うことができる。また、排水管３と下部排水ソケット４の下接続部４ｂとの接続部分、下部排水ソケット４の上接続部４ａとアダプタ５の下接続部５ｂとの接続部分、アダプタ５の円筒接続部５ａと上部排水ソケット６の円筒壁６ｃとの接続部分は隙間無く接触されるため、軸心Ｘのズレが生じにくく、気密性にも優れたものとなる。
【００２６】
また、下部排水ソケット４に対して、アダプタ５および上部排水ソケット６を装着する場合、下部排水ソケット４の上接続部４ａと上部排水ソケット６の円筒壁６ｄとが周接するとともに、アダプタ５の円筒接続部５ａと上部排水ソケット６の円筒壁６ｃとが周接しながら作業が進行していくため、下部排水ソケット４、アダプタ５および上部排水ソケット６の間における軸心Ｘのズレを防止することができ、確実な気密構造を形成することができる。
【００２７】
床面２上に配置される上部排水ソケット６には、内径の異なる２つの円筒壁６ｃ，６ｄが設けられ、これらの円筒壁６ｃ，６ｄは呼び径７５および１００の樹脂管に対応している。従って、床下接着方式の管路接続構造から床上接着方式の管路接続構造へ変更する際には、これらの円筒壁６ｃ，６ｄを内円筒、外円筒として利用することにより、床下排水管の更新をすることなく、上部排水ソケット６の設置が可能となる。
【００２８】
また、アダプタ５の円筒接続部５ａと、上部排水ソケット６の円筒壁６ｃとは互いに嵌合接続されているため、アダプタ５と上部排水ソケット６との接続部分の気密性が高く、管路接続部分全体の気密性が向上する。
【００２９】
さらに、アダプタ５の円筒接続部５ａの外周に下部排水ソケット４の上接続部４ａの内周面と当接するフランジ５ｃを設けている。このため、下部排水ソケット４の上接続部４ａにアダプタ５の円筒接続部５ａを接続する際、下部排水ソケット４の上接続部４ａの内周面にアダプタ５のフランジ５ｃを当接させることによって互いの軸心Ｘを正確に合わせることができ、軸心Ｘのズレをなくすことができ、作業性も良好である。
【００３０】
次に、図３，図４を参照して、本発明のその他の実施の形態について説明する。図３，図４は本発明のその他の実施の形態である管路接続構造を示す垂直断面図である。なお、図３，図４において、図１，図２で示した管路接続構造の構成部分と同じ構造、機能を有する部分は図１，図２に記載した符号と同符合を付して説明を省略する。
【００３１】
図３に示す管路接続構造は、便器排水口（図示せず）と連通する上円筒部１６ａと、排水管３と連通される下円筒部１６ｂと、下円筒部１６ｂの外側に下円筒部１６ｂと同軸に形成された互いに内径の異なる複数の円筒壁１６ｃ，１６ｄとを有する上部排水ソケット１６と、円筒壁１６ｃの内側面と周接される円筒接続部１５ａと、排水管３と弾性パッキン１８を介して気密状に接続される円筒部１５ｃとを有するアダプタ１５とで構成されている。そして、上部排水ソケット１６の円筒壁１６ｃと、アダプタ１５の円筒接続部１５ａとを互いに嵌合接続させている。円筒部１５ｃはアダプタ１５の下接続部１５ｂから排水管３内に垂下した状態に形成されている。
【００３２】
このような構成とすれば、床面２まで起立状に配管された排水管３にアダプタ１５の下接続部１５ｂから垂下された円筒部１５ｃを弾性パッキン１８を介して気密状に接続し、アダプタ１５の円筒接続部１５ａと上部排水ソケット１６の円筒壁１６ｃとを互いに嵌合接続するとともに、上部排水ソケット１６の下円筒部１６ｂを排水管３に連通させ、上部排水ソケット１６の上円筒部１６ａに弾性パッキン８を介して便器排水口（図示せず）を連通するだけで管路接続構造を形成することができる。
【００３３】
従って、便器の取り替えを行う際に、便器を取り外した後の排水管工事をやり直す必要がなく、床上作業のみで取り替え工事を行うことができる。また、排水管３とアダプタ１５の円筒部１５ｃとの接続部分、アダプタ１５の円筒接続部１５ａと上部排水ソケット１６の円筒壁１６ｃとの接続部分は隙間無く接触しているため、軸心のズレが生じにくく、気密性にも優れている。
【００３４】
図４に示す管路接続構造は、排水管３と接続される下接続部１４ｂと、便器排水口（図示せず）と連通する上接続部１４ａとを有する下部排水ソケット１４と、便器排水口と連通する上円筒部１６ａと、排水管３と連通される下円筒部１６ｂと、下円筒部１６ｂの外側に下円筒部１６ｂと同軸に形成された互いに内径の異なる複数の円筒壁１６ｃ，１６ｄとを有する上部排水ソケット１６と、円筒壁１６ｃと周接される円筒接続部２５ａと、下部排水ソケット１４とシール７を介して気密状に接続される下接続部２５ｂと、下接続部２５ｂから下方に延設された円筒部２５ｃを有するアダプタ２５とで構成されている。そして、下部排水ソケット１４の上接続部１４ａと、上部排水ソケット１６の円筒壁１６ｄとを互いに嵌合接続させている。
【００３５】
図４に示す管路接続構造は、図２（ｂ）で示した管路接続構造と同様であるが、アダプタ２５の下接続部２５ｂに、排水管３内に垂下する円筒部２５ｃを設けている。このような構成とすれば、アダプタ２５の下接続部２５ｂから垂下された円筒部２５ｃを排水管３内に挿入することにより両者間の位置合わせが可能となるため、接続時の作業性が良好である。また、アダプタ２５の下接続部２５ｂから垂下した円筒部２５ｃが常に排水管３内に同軸に位置した状態となるため、気密性に優れている。
【産業上の利用可能性】
【００３６】
本発明は、一般住宅や公共施設などのトイレに配置される便器の排水口と排水管との接続構造として広く利用することができる。
【図面の簡単な説明】
【００３７】
【図１】本発明の実施の形態である管路接続構造を形成する前の構成部材を示す断面図である。
【図２】（ａ）は図１に示す構成部材を用いて管路接続構造を組み立て中の状態を示す垂直断面図、（ｂ）は管路接続構造の組み立て後の状態を示す垂直断面図である。
【図３】本発明のその他の実施の形態である管路接続構造を示す垂直断面図である。
【図４】本発明のその他の実施の形態である管路接続構造を示す垂直断面図である。
【図５】従来の管路接続構造を示す垂直断面図である。
【図６】従来の管路接続構造を示す垂直断面図である。
【図７】従来の管路接続構造を示す垂直断面図である。
【符号の説明】
【００３８】
１  便器排水口
２  床面
３  排水管
４，１４  下部排水ソケット
４ｂ，５ｂ，１４ｂ，１５ｂ，２５ｂ  下接続部
４ａ，１４ａ  上接続部
４ｃ  段差部
４ｄ，５ｃ  フランジ
５，１５，２５  アダプタ
５ａ，１５ａ，２５ａ  円筒接続部
６，１６  上部排水ソケット
６ａ，１６ａ  上円筒部
６ｂ，１６ｂ  下円筒部
６ｃ，６ｄ，１６ｃ，１６ｄ  円筒壁
６ｅ  スカート部
７  シール
８，１８  弾性パッキン
１５ｃ，２５ｃ  円筒部
Ｘ  軸心
【図１】
2006299610.tif 000003
【図２】
2006299610.tif 000004
【図３】
2006299610.tif 000005
【図４】
2006299610.tif 000006
【図５】
2006299610.tif 000007
【図６】
2006299610.tif 000008
【図７】
2006299610.tif 000009